【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
回路であって、
増幅器であって、前記増幅器の入力ノードにおいて基準電圧を受け取るように構成される、前記増幅器と、
リフレッシュスイッチを介して前記増幅器に結合されるデジタルアナログコンバータ（ＤＡＣ）であって、
１つ又は複数の電流要素であって、前記１つ又は複数の電流要素の各電流要素がクロックを受け取るように構成される、前記１つ又は複数の電流要素と、
前記１つ又は複数の電流要素に対応する１つ又は複数のスイッチと、
前記１つ又は複数のスイッチと前記増幅器のフィードバックノードとの間に結合されるフィードバックスイッチと、
を含み、
前記ＤＡＣが前記増幅器の前記フィードバックノードにおいてフィードバック電圧を提供するように構成され、前記１つ又は複数の電流要素の１つのセットの電流要素がＤＡＣ入力と前記クロックとに基づいて活性化され、前記１つ又は複数のスイッチの１つのセットのスイッチが前記ＤＡＣ入力に基づいて活性化され、前記増幅器のフィードバックノードにおける前記フィードバック電圧が前記１つのセットの電流要素の各電流要素における抵抗器を介する電流により測定される、前記ＤＡＣと、
を含む、回路。
【請求項２】
請求項１に記載の回路であって、
一次電源と前記ＤＡＣとの間に結合されるＬＥＤ（発光ダイオード）を更に含む、回路。
【請求項３】
請求項１に記載の回路であって、
前記ＤＡＣが前記ＤＡＣ入力を受け取り、前記ＤＡＣ入力が前記１つ又は複数の電流要素に対応する１つ又は複数のイネーブル信号を含み、前記１つ又は複数の電流要素の或る電流要素が当該電流要素により受信される対応するイネーブル信号が論理高であるときに活性化される、回路。
【請求項４】
請求項１に記載の回路であって、
前記ＤＡＣが前記ＤＡＣ入力を受け取り、前記ＤＡＣ入力が前記１つ又は複数の電流要素に対応する１つ又は複数のイネーブル信号を含み、
前記１つ又は複数の電流要素の各電流要素が、
前記クロックと前記１つ又は複数のイネーブル信号の或るイネーブル信号とに応答して制御信号を生成するように構成されるＡＮＤゲートと、
前記制御信号を受け取るように構成される第１のトランジスタと、
前記第１のトランジスタと前記リフレッシュスイッチとに結合される第２のトランジスタと、
を含み、
前記抵抗器が一次ノードにおいて前記第２のトランジスタに結合され、前記抵抗器の一端が二次電源に結合される、回路。
【請求項５】
請求項４に記載の回路であって、
前記１つ又は複数のイネーブル信号が前記１つ又は複数のスイッチを活性化するように構成される、回路。
【請求項６】
請求項１に記載の回路であって、
前記１つ又は複数のスイッチの各スイッチが前記一次ノードと前記フィードバックスイッチとの間に結合される、回路。
【請求項７】
請求項６に記載の回路であって、
前記１つ又は複数のスイッチの第１のスイッチが前記１つ又は複数の電流要素の第１の電流要素が活性化されるときに活性化され、前記第１のスイッチが前記第１の電流要素に対応する、回路。
【請求項８】
請求項１に記載の回路であって、
前記回路がフィードバックモードとリフレッシュモードとで動作し、前記フィードバックモードにおいて、
前記フィードバックスイッチが活性化され、
前記リフレッシュスイッチがイ非活性化され、
前記クロックが論理高であり、
前記１つ又は複数の電流要素の１つのセットの電流要素が前記ＤＡＣ入力に基づいて活性化され、
前記１つ又は複数のスイッチの対応するセットのスイッチが前記活性化されたセットの電流要素に基づいて活性化される、回路。
【請求項９】
請求項１に記載の回路であって、
前記回路がフィードバックモードとリフレッシュモードとで動作し、前記リフレッシュモードにおいて、
前記フィードバックスイッチが非活性化され、
前記リフレッシュスイッチが活性化され、
前記クロックが論理低であり、
前記増幅器が前記フィードバック電圧と前記基準電圧とからエラー電圧を生成するように構成され、前記エラー電圧が前記１つ又は複数の電流要素の各電流要素において第２のトランジスタに提供される、回路。
【請求項１０】
請求項９に記載の回路であって、
前記エラー電圧が、後続のフィードバックモードにおいて前記１つ又は複数の電流要素の各電流要素を介する電流を変えるように構成される、回路。
【請求項１１】
方法であって、
クロックが論理高であるときにＤＡＣ入力に基づいて１つ又は複数の電流要素の１つセットの電流要素を活性化することと、
前記活性化されたセットの電流要素に基づいて１つ又は複数のスイッチの対応するセットのスイッチを活性化することと、
前記１つのセットの電流要素の各電流要素における抵抗器を介する電流からフィードバック電圧を測定することと、
エラー電圧を生成するために前記フィードバック電圧と基準電圧とを比較することと、
を含む、方法。
【請求項１２】
請求項１１に記載の方法であって、
前記クロックが論理低であるときに前記１つのセットの電流要素を非活性化することと、
前記エラー電圧を前記１つのセットの電流要素の各電流要素に提供することと、
前記クロックが論理高であるときに前記１つのセットの電流要素を活性化することと、
を更に含み、
前記エラー電圧が前記１つのセットの電流要素の各電流要素を介する電流を変えるように構成される、方法。
【請求項１３】
請求項１１に記載の方法であって、
一次電源から前記１つのセットの電流要素の各電流要素に電流を提供することを更に含む、方法。
【請求項１４】
請求項１１に記載の方法であって、
前記１つのセットの電流要素を活性化することが、前記ＤＡＣ入力を受け取ることを含み、前記ＤＡＣ入力が前記１つ又は複数の電流要素に対応する１つ又は複数のイネーブル信号を含み、前記１つ又は複数のイネーブル信号が前記１つ又は複数のスイッチを活性化するように構成される、方法。
【請求項１５】
請求項１１に記載の方法であって、
前記１つ又は複数の電流要素の各電流要素が、
前記クロックとイネーブル信号とに応答して制御信号を生成するように構成されるＡＮＤゲートと、
前記制御信号を受け取るように構成される第１のトランジスタと、
前記第１のトランジスタに結合される第２のトランジスタと、
を含み、
前記抵抗器が一次ノードにおいて前記第２のトランジスタに結合され、前記抵抗器の一端が二次電源に結合される、方法。
【請求項１６】
回路を含むタイムオブフライト（ＴＯＦ）システムであって、前記回路が光パルスを送信するように構成され、前記回路が、
増幅器であって、前記増幅器の入力ノードにおいて基準電圧を受け取るように構成される、前記増幅器と、
リフレッシュスイッチを介して前記増幅器に結合されるデジタルアナログコンバータ（ＤＡＣ）であって、
ＤＡＣ入力を受け取るように構成される１つ又は複数の電流要素であって、前記１つ又は複数の電流要素の各電流要素がクロックを受け取るように構成される、前記１つ又は複数の電流要素と、
前記１つ又は複数の電流要素に対応する１つ又は複数のスイッチと、
前記１つ又は複数のスイッチと前記増幅器のフィードバックノードとの間に結合されるフィードバックスイッチと、
を含み、
前記ＤＡＣが前記増幅器の前記フィードバックノードにおいてフィードバック電圧を提供するように構成され、前記１つ又は複数の電流要素の１つのセットの電流要素が前記ＤＡＣ入力と前記クロックとに基づいて活性化され、前記１つ又は複数のスイッチの１つのセットのスイッチが前記ＤＡＣ入力に基づいて活性化され、前記増幅器のフィードバックノードにおける前記フィードバック電圧が前記１つのセットの電流要素の各電流要素における抵抗器を介する電流から測定される、前記ＤＡＣと、
を含む、方法。
【請求項１７】
請求項１６に記載のＴＯＦシステムであって、
反射光パルスを受け取るように構成される複数の画素を有する画素アレイであって、前記送信された光パルスがターゲットにより散乱されて前記反射光パルスを生成する、前記画素アレイと、
前記画素アレイに結合され、前記画素の各々からのアナログ信号をデジタル信号に変換するように構成される、アナログデジタルコンバータ（ＡＤＣ）と、
前記ＡＤＣに結合され、前記デジタル信号を処理するように構成されるプロセッサと、
を更に含む、ＴＯＦシステム。
【請求項１８】
請求項１６に記載のＴＯＦシステムであって、
前記回路が、一次電源と前記ＤＡＣとの間に結合されるＬＥＤ（発光ダイオード）を更に含む、ＴＯＦシステム。
【請求項１９】
請求項１６に記載のＴＯＦシステムであって、
前記回路がフィードバックモードとリフレッシュモードとで動作し、前記フィードバックモードにおいて、
前記フィードバックスイッチが活性化され、前記リフレッシュスイッチが非活性化され、前記クロックが論理高であり、前記１つ又は複数の電流要素の１つのセットの電流要素が前記ＤＡＣ入力に基づいて活性化され、前記１つ又は複数のスイッチの対応するセットのスイッチが前記活性化されたセットの電流要素に基づいて活性化される、ＴＯＦシステム。
【請求項２０】
請求項１６に記載のＴＯＦシステムであって、
前記回路がフィードバックモードとリフレッシュモードとで動作し、前記リフレッシュモードにおいて、
前記フィードバックスイッチが非活性化され、前記リフレッシュスイッチが活性化され、前記クロックが論理低であり、前記増幅器が前記フィードバック電圧と前記基準電圧とからエラー電圧を生成するように構成され、前記エラー電圧が前記１つのセットの電流要素の各電流要素における第２のトランジスタに提供される、ＴＯＦシステム。